(57)【特許請求の範囲】
【請求項１】
女性のバストをそれぞれ覆う左右のバストカップ部と、前記左右のバストカップ部を保持するフロント構成部と、前記フロント構成部の体側部側に配設される体側構成部と、前記体側構成部の背面側に配設されるバック構成部とを備えたバスト引き寄せ力を有するトップにおいて、
前記フロント構成部及び前記バック構成部を１５０％以上の伸張率を有する伸縮性素材 から構成すると共に、前記フロント構成部を伸張させた状態で前記左右のバストカップ部 が前記女性のバストをそれぞれ覆うように構成し、
前記トップの着用時に前記バック構成部が１２５％伸張したときに作用する当該バック構成部の着用前の長さと着用後の長さで一律に決まる収縮力に対し、前記フロント構成部が１８０％伸張したときに作用する当該フロント構成部の着用前の長さと着用後の長さで一律に決まる収縮力が１０％以上大きく、且つ前記バック構成部の着用前の長さと着用後の長さで一律に決まる収縮長に対し、前記フロント構成部の着用前の長さと着用後の長さで一律に決まる収縮長が３０％以上大きくなるよう設定したことを特徴とするバスト引き寄せ力を有するトップ。
【請求項２】
前記フロント構成部は、１８０％の伸張時に人体標準のフロント寸法となるよう人体の胸部周り方向における長さが圧縮して設定されていることを特徴とする請求項１に記載のバスト引き寄せ力を有するトップ。
【請求項３】
前記フロント構成部は、１８０％以上の伸張率を有する伸縮性素材の二重構造を有していることを特徴とする請求項１又は２に記載のバスト引き寄せ力を有するトップ。
【請求項４】
前記フロント構成部は、弾性糸をボーダー状に編み込んだ成形編みからなる編み地を有していることを特徴とする請求項１に記載のバスト引き寄せ力を有するトップ。
【請求項５】
前記フロント構成部は、弾性を有する合成樹脂又はラテックスからなるテープ体を熱接着又は縫い止めるか、或いは弾性を有する合成樹脂を帯状に塗布してなることを特徴とする請求項１に記載のバスト引き寄せ力を有するトップ。
【請求項６】
前記フロント構成部には、弾性を有する合成樹脂又はラテックスからなるテープ体を伸張させた状態で熱接着又は縫い止めてなることを特徴とする請求項１に記載のバスト引き寄せ力を有するトップ。
【請求項７】
前記左右のバストカップ部が所要の間隔を以て分離し、当該分離された左右のバストカップ部を一本の弾性を有する合成樹脂又はラテックスからなるテープ体によって連接してなることを特徴とする請求項１に記載のバスト引き寄せ力を有するトップ。
【請求項８】
前記フロント構成部の中央部を左右に分離させると共に交差するよう配置し、左右に分離された前記フロント構成部を各々弾性を有する合成樹脂又はラテックスからなるテープ体によって他方の前記フロント構成部に連接してなることを特徴とする請求項１に記載のバスト引き寄せ力を有するトップ。
【請求項９】
前記左右のバストカップ部を前記フロント構成部を含めて左右に分離させると共に交差するよう配置し、左右に分離された前記フロント構成部の端部を各々弾性を有する合成樹脂又はラテックスからなるテープ体によって反対側に位置する体側部に重ね合わせて接合してなることを特徴とする請求項１に記載のバスト引き寄せ力を有するトップ。
【請求項１０】
前記体側構成部は、前記フロント構成部の体側部側に配置される体側構成部材のみからなるデザイン的体側部と、前記デザイン的体側部及び前記フロント構成部のバスト補正機能を果たす体側部側領域を含む実質的体側部と、前記実質的体側部に更にフロント構成部のバストカップ部側の領域を含む機能的体側部と、前記機能的体側部に更に前記バストカップ部の体側部側領域を含む拡張的体側部とに区分され、
前記体側構成部は、前記実質的体側部、前記機能的体側部又は前記拡張的体側部のいずれかとして構成されていることを特徴とする請求項１乃至９のいずれかに記載のバスト引き寄せ力を有するトップ。
【請求項１１】
前記バスト引き寄せ力を有するトップは、一枚一重構成、一枚一重構成の表面側又は裏面側に機能成形編みかなる一枚一重構成を配置した二重構成、一枚一重構成の表面側又は裏面側の少なくとも一方に複合部材を重ね合わせた複合構成、一枚二重構成の表面側又は裏面側の少なくとも一方に複合部材を重ね合わせた複合構成のいずれかとして構成され、
前記一枚一重構成としての前記トップは、モールド成型品又は成形編品からなり、
前記二重構成又は複合構成としての前記トップは、表面側構成部材又は裏面側構成部材自体のいずれかが、前記各構成部の機能を備えるか、或いは、前記表面側構成部材又は裏面側構成部材のいずれかに弾性を有する合成樹脂を塗布するか又はプレス成型することによって前記各構成部の機能を備えたことを特徴とする請求項１乃至１０のいずれかに記載のバスト引き寄せ力を有するトップ。
【請求項１２】
前記バスト引き寄せ力を有するトップは、前記左右のバストカップ部における体側部側 の領域を、人体側に向けて凹形状となるようにモールド成型したことを特徴とする請求項 １乃至１１のいずれかに記載のバスト引き寄せ力を有するトップ。
【発明の詳細な説明】
【技術分野】
【０００１】
この発明は、ブラジャーやブラスリップ、ボディスーツ、ブラキャミなどのファンデーション、或いは水着等のスポーツ衣料並びにアウター衣料等を広く含むバスト引き寄せ力を持ったトップに係り、特に左右のバストを中央に引き寄せる機能を高めたバスト引き寄せ力を持ったトップに関するものである。
【背景技術】
【０００２】
従来、この種のブラジャーやブラスリップ、ボディスーツ、ブラキャミなどのファンデーション、或いは水着等のスポーツ衣料並びにアウター衣料等を広く含むトップは、例えば、左右のバストを覆うバストカップ部と、これら左右のバストカップ部を繋ぐセンターパネルと、これら左右のバストカップ部の両端から背面側にわたり連設されたバックパネルとから主に構成されている。これらの構成部材のうち、バックパネルは、伸縮性を有する素材から構成されており、当該左右のバックパネルの先端に取り付けられたフックやアイ等の連結具によって互いに連結され、左右のバストカップ部とバックパネルとによって、着用者の人体胸部骨格領域をカバーし、バスト引き上げ作用に加え、近年はバストを中央上部に引き寄せる作用を図っている。
【０００３】
しかしながら、上記ブラジャー等のトップの場合、当該目的とは裏腹にバックパネルの収縮力を以てのみ人体への安定装着化を図ることから、左右のバストカップ部がバックパネルにより人体の背面側に引っ張られ、左右のバストを中央に引き寄せる効果が得難いものであった。
【０００４】
また、ブラジャー等のトップの場合、左右のバストを中央に引き寄せる引寄力を形成すべき左右のバストカップ部を繋ぐセンタークロスの領域は、図３４及び図３５に示すように、人体の左右バストの平均間隔Ａ’が約３ｃｍ前後である。これに対して、一般製品の間隙は、左右のバストカップ部を取り付けるスペースとして最低左右５ｍｍ程度の縫い代Ｂを必要とし、センタークロス単体の伸長可能な幅Ａは、２ｃｍ前後となる。そのため、当該センタークロスの伸張率を２００％と仮定しても、最大で４ｃｍの拡張量を限界とし、左右のバストカップ部に対して十分な引き寄せ力を作用させることができないのが実態である。
【０００５】
そこで、本発明者は、左右のバストを中央に引き寄せる機能を有するトップに関する技術として、例えば、特開平１１−２００１０７号公報、特開２００３−２４７１０５号公報、特開２００４−１１５９４７号公報及び特開２００５−８９８８１号公報等に開示されたものを既に提案している。
【０００６】
上記特開平１１−２００１０７号公報に係る女性用下着は、女性のバストをそれぞれ覆う左右のカップ部を有するとともに、これら左右のカップ部をフロント側に位置する連結部で互いに連結してなる女性用下着において、前記女性のバストをそれぞれ覆う左右のカップ部を互いに連結する連結部を交差させ、右側のカップ部を左側のカップ部側に着脱自在に連結する連結部を、中央部よりも左側に設けると共に、前記左側のカップ部を右側のカップ部側に着脱自在に連結する連結部を、中央部よりも右側に設けるように構成したものである。
【０００７】
また、上記特開２００３−２４７１０５号公報に係る女性用衣料は、少なくとも女性のバスト部を覆う女性用衣料において、前記少なくとも女性のバスト部を覆うカップ部材と、前記カップ部材の表面側に配置され、前記バスト部の左右の各脇部からバスト下部の中央部にかけて設けられる左右の前身頃部材と、前記左右の前身頃部材をバスト下部の中央部近傍で互いに連結するとともに、当該左右の前身頃部材の連結幅を調節可能に設けられた複数の連結部材とを備えるように構成したものである。
【０００８】
さらに、上記特開２００４−１１５９４７号公報に係る人体骨格に有機的に対応する女性用衣料は、人体骨格に有機的に対応する身頃体を備えた女性用衣料において、前記身頃体は、人体骨格の一部の断面形状を全周にわたって覆うように構成され、当該身頃体には、人体骨格の前面又は背面の少なくとも一方に、人体骨格の側面部側から中央部に向けて引き寄せる力を作用させる引き寄せ力作用部を設けるように構成したものである。
【０００９】
又、上記特開２００５−８９８８１号公報に係るバスト引き寄せ機能を備えたトップは、バスト引き寄せ機能を備えたトップにおいて、人体胸囲骨格領域を左右の体側部領域を境界にしてフロント領域とバック領域とに区分し、前記フロント領域に左右の体側部領域から人体の中央に向けた引き寄せる力を作用させる引き寄せ力作用部を設けたものである。
【先行技術文献】
【特許文献】
【００１０】
【特許文献１】特開平１１−２００１０７号公報
【特許文献２】特開２００３−２４７１０５号公報
【特許文献３】特開２００４−１１５９４７号公報
【特許文献４】特開２００５−８９８８１号公報
【発明の概要】
【発明が解決しようとする課題】
【００１１】
しかしながら、上記従来技術の場合には、次のような技術的課題を有している。すなわち、上記特開平１１−２００１０７号公報、特開２００３−２４７１０５号公報、特開２００４−１１５９４７号公報及び特開２００５−８９８８１号公報に係る女性用下着等の場合には、人体骨格の前面側を構成する素材の伸長率の検討がなされておらず、バスト引き寄せ力を十分得難いという技術的課題を有していた。
【００１２】
そこで、この発明は、上記従来技術の課題を解決するためになされたものであり、その目的とするところは、フロント構成部を形成する素材の伸張率を工夫、設計することにより、十分なバスト引き寄せ力を得ることが可能なバスト引き寄せ力を持ったトップを提供することにある。
【課題を解決するための手段】
【００１３】
請求項１に記載された発明は、女性のバストをそれぞれ覆う左右のバストカップ部と、前記左右のバストカップ部を保持するフロント構成部と、前記フロント構成部の体側部側に配設される体側構成部と、前記体側構成部の背面側に配設されるバック構成部とを備えたバスト引き寄せ力を有するトップにおいて、
前記フロント構成部及び前記バック構成部を１５０％以上の伸張率を有する伸縮性素材 から構成すると共に、前記フロント構成部を伸張させた状態で前記左右のバストカップ部 が前記女性のバストをそれぞれ覆うように構成し、
前記トップの着用時に前記バック構成部が１２５％伸張したときに作用する当該バック構成部の着用前の長さと着用後の長さで一律に決まる収縮力に対し、前記フロント構成部が１８０％伸張したときに作用する当該フロント構成部の着用前の長さと着用後の長さで一律に決まる収縮力が１０％以上大きく、且つ前記バック構成部の着用前の長さと着用後の長さで一律に決まる収縮長に対し、前記フロント構成部の着用前の長さと着用後の長さで一律に決まる収縮長が３０％以上大きくなるよう設定したことを特徴とするバスト引き寄せ力を有するトップである。
本発明は、左右のバストカップ部、フロント構成部及び左右の体側構成部を含めて人体の形状に対応した三次元設計を前提とすることが好ましい。
【００１４】
また、請求項２に記載された発明は、前記フロント構成部は、１８０％の伸張時に人体標準のフロント寸法となるよう人体の胸部周り方向における長さが圧縮して設定されていることを特徴とする請求項１に記載のバスト引き寄せ力を有するトップである。
【００１５】
さらに、請求項３に記載された発明は、前記フロント構成部は、１８０％以上の伸張率を有する伸縮性素材の二重構造を有していることを特徴とする請求項１又は２に記載のバスト引き寄せ力を有するトップである。
【００１６】
又、請求項４に記載された発明は、前記フロント構成部は、弾性糸をボーダー状に編み込んだ成形編みからなる編み地を有していることを特徴とする請求項１に記載のバスト引き寄せ力を有するトップである。
【００１７】
更に、請求項５に記載された発明は、前記フロント構成部は、弾性を有する合成樹脂又はラテックスからなるテープ体を熱接着又は縫い止めるか、或いは弾性を有する合成樹脂を帯状に塗布してなることを特徴とする請求項１に記載のバスト引き寄せ力を有するトップである。
【００１８】
また、請求項６に記載された発明は、前記フロント構成部には、弾性を有する合成樹脂又はラテックスからなるテープ体を伸張させた状態で熱接着又は縫い止めてなることを特徴とする請求項１に記載のバスト引き寄せ力を有するトップである。
【００１９】
さらに、請求項７に記載された発明は、前記左右のバストカップ部が所要の間隔を以て分離し、当該分離された左右のバストカップ部を一本の弾性を有する合成樹脂又はラテックスからなるテープ体によって連接してなることを特徴とする請求項１に記載のバスト引き寄せ力を有するトップである。
【００２０】
又、請求項８に記載された発明は、前記フロント構成部の中央部を左右に分離させると共に交差するよう配置し、左右に分離された前記フロント構成部を各々弾性を有する合成樹脂又はラテックスからなるテープ体によって他方の前記フロント構成部に連接してなることを特徴とする請求項１に記載のバスト引き寄せ力を有するトップである。
【００２１】
更に、請求項９に記載された発明は、前記左右のバストカップ部を前記フロント構成部を含めて左右に分離させると共に交差するよう配置し、左右に分離された前記フロント構成部の端部を各々弾性を有する合成樹脂又はラテックスからなるテープ体によって反対側に位置する体側部に重ね合わせて接合してなることを特徴とする請求項１に記載のバスト引き寄せ力を有するトップである。
【００２２】
また、請求項１０に記載された発明は、前記体側構成部は、前記フロント構成部の体側部側に配置される体側構成部材のみからなるデザイン的体側部と、前記デザイン的体側部及び前記フロント構成部のバスト補正機能を果たす体側部側領域を含む実質的体側部と、前記実質的体側部に更にフロント構成部のバストカップ部側の領域を含む機能的体側部と、前記機能的体側部に更に前記バストカップ部の体側部側領域を含む拡張的体側部とに区分され、
前記体側構成部は、前記実質的体側部、前記機能的体側部又は前記拡張的体側部のいずれかとして構成されていることを特徴とする請求項１乃至９のいずれかに記載のバスト引き寄せ力を有するトップである。
【００２３】
現市場に於ける製品においては、フロント構成部とバック構成部との二区分が基本となり、明確な体側部の構成は無く、当該フロント構成部とバック構成部との切り替え線を単に体側部とし、補正用ボーンを挿入することが基本となっている。
【００２４】
そこで、明確な体側部領域を示すものではなく、商品デザインによって形成される無形成なものを、「デザイン的体側部」とし、人体構成に基づく体側部領域よりバスト領域を除いた体側部を「実質的体側部」とし、当該バストの一部をも含む体側部形成を「機能的体側部」とし、更に前記機能的体側部にバストカップ側部領域を補正的に形成する体側部形成を「拡張的体側部」とし区分して呼称する。
【００２５】
さらに、請求項１１に記載された発明は、前記バスト引き寄せ力を有するトップは、一枚一重構成、一枚一重構成の表面側又は裏面側に機能成形編みかなる一枚一重構成を配置した二重構成、一枚一重構成の表面側又は裏面側の少なくとも一方に複合部材を重ね合わせた複合構成、一枚二重構成の表面側又は裏面側の少なくとも一方に複合部材を重ね合わせた複合構成のいずれかとして構成され、
前記一枚一重構成としての前記トップは、モールド成型品又は成形編品からなり、
前記二重構成又は複合構成としての前記トップは、表面側構成部材又は裏面側構成部材自体のいずれかが、前記各構成部の機能を備えるか、或いは、前記表面側構成部材又は裏面側構成部材のいずれかに弾性を有する合成樹脂を塗布するか又はプレス成型することによって前記各構成部の機能を備えたことを特徴とする請求項１乃至８のいずれかに記載のバスト引き寄せ力を有するトップである。
【００２６】
又、請求項１２に記載された発明は、前記バスト引き寄せ力を有するトップは、前記左右のバストカップ部における体側部側の領域を、人体側に向けて凹形状となるようにモールド成型したことを特徴とする請求項１乃至１１のいずれかに記載のバスト引き寄せ力を有するトップである。
【発明の効果】
【００２７】
この発明によれば、フロント構成部を形成する素材の伸張率を工夫、設計することにより、十分なバスト引き寄せ力を得ることが可能なバスト引き寄せ力を持ったトップを提供することができる。
【図面の簡単な説明】
【００２８】
【図１】この発明の実施の形態１に係るバスト引き寄せ力を持ったトップとしてのブラジャーを示す構成図である。
【図２】ブラジャーの人体胸部周り方向の領域を示す説明図である。
【図３】この発明の実施の形態に係るバスト引き寄せ力を持ったトップとしてのブラジャーのフロントパネルの伸張状態を示す構成図である。
【図４】この発明の実施の形態１に係るバスト引き寄せ力を持ったトップとしてのブラジャーの各領域における伸張状態を示す説明図である。
【図５】この発明の実施の形態１に係るバスト引き寄せ力を持ったトップとしてのブラジャーの着用状態を示す構成図である。
【図６】この発明の実施の形態に係るバスト引き寄せ力を持ったトップとしてのブラジャーのフロントパネルの伸張状態を示す構成図である。
【図７】この発明の実施の形態１に係るバスト引き寄せ力を持ったトップとしてのブラジャーの着用状態を示す一部破断の斜視構成図である。
【図８】この発明の実施の形態１に係るバスト引き寄せ力を持ったトップとしてのブラジャーの変形例を示す構成図である。
【図９】この発明の実施の形態１に係るバスト引き寄せ力を持ったトップとしてのブラジャーの体側部をそれぞれ示す構成図である。
【図１０】この発明の実施の形態１に係るバストカップ部の変形例を示す構成図である。
【図１１】この発明の実施の形態１に係るバストカップ部の変形例を示す構成図である。
【図１２】この発明の実施の形態１に係るバスト引き寄せ力を持ったトップとしてのブラジャーの作用を示す説明図である。
【図１３】この発明の実施の形態２に係るバスト引き寄せ力を持ったトップとしてのブラジャーを示す構成図である。
【図１４】この発明の実施の形態３に係るバスト引き寄せ力を持ったトップとしてのブラジャーを示す構成図である。
【図１５】この発明の実施の形態４に係るバスト引き寄せ力を持ったトップとしてのブラジャーの変形例を示す構成図である。
【図１６】この発明の実施の形態４に係るバスト引き寄せ力を持ったトップとしてのブラジャーを示す構成図である。
【図１７】この発明の実施の形態４に係るバスト引き寄せ力を持ったトップとしてのブラジャーの変形例を示す構成図である。
【図１８】この発明の実施の形態４に係るバスト引き寄せ力を持ったトップとしてのブラジャーの変形例を示す構成図である。
【図１９】この発明の実施の形態４に係るバスト引き寄せ力を持ったトップとしてのブラジャーの変形例を示す構成図である。
【図２０】この発明の実施の形態４に係るバスト引き寄せ力を持ったトップとしてのブラジャーの変形例を示す構成図である。
【図２１】この発明の実施の形態４に係るバスト引き寄せ力を持ったトップとしてのブラジャーの変形例を示す構成図である。
【図２２】バスト引き寄せ力を持ったトップとしてのブラジャーの作用を示す構成図である。
【図２３】この発明の実施の形態５に係るバスト引き寄せ力を持ったトップとしてのブラジャーを示す構成図である。
【図２４】この発明の実施の形態５に係るバスト引き寄せ力を持ったトップとしてのブラジャーの変形例を示す構成図である。
【図２５】この発明の実施の形態５に係るバスト引き寄せ力を持ったトップとしてのブラジャーの変形例を示す構成図である。
【図２６】この発明の実施の形態５に係るバスト引き寄せ力を持ったトップとしてのブラジャーの変形例を示す構成図である。
【図２７】この発明の実施の形態６に係るバスト引き寄せ力を持ったトップとしてのブラジャーを示す構成図である。
【図２８】この発明の実施の形態６に係るバスト引き寄せ力を持ったトップとしてのブラジャーの変形例を示す構成図である。
【図２９】この発明の実施の形態６に係るバスト引き寄せ力を持ったトップとしてのブラジャーの変形例を示す構成図である。
【図３０】この発明の実施の形態に係るバスト引き寄せ力を持ったトップとしてのブラジャーの身頃構成を示す構成図である。
【図３１】この発明の実施の形態に係るバスト引き寄せ力を持ったトップとしてのブラジャーの身頃構成を示す構成図である。
【図３２】この発明の実施の形態に係るバスト引き寄せ力を持ったトップとしてのブラジャーの身頃構成を示す構成図である。
【図３３】この発明の実施の形態７に係るバスト引き寄せ力を持ったトップとしてのブラジャーを示す構成図である。
【図３４】ブラジャーの着用状態を示す模式図である。
【図３５】従来のブラジャーの要部を示す模式図である。
【発明を実施するための形態】
【００２９】
以下に、この発明の実施の形態について図面を参照して説明する。
【００３０】
実施の形態１
図１はこの発明の実施の形態１に係るバスト引き寄せ力を有するトップとしてのブラジャーを示す構成図である。尚、図１は着用前のブラジャーの形状を示したものである。
【００３１】
このブラジャー１は、図1に示すように、女性のバストをそれぞれ覆う膨出部としての左右のバストカップ部２，３と、これら左右のバストカップ部２，３を保持するとともに、当該左右のバストカップ部２，３の人体中央部から体側部側に亙り配設されるフロント構成部としてのフロントパネル４と、フロントパネル４の体側部側に配設される体側構成部としてのサイドパネル５，６と、サイドパネル５，６の背面側に配設されるバック構成部としてのバックパネル７，８とを備えている。なお、サイドパネル５，６は、体側構成部を構成する部材としての体側構成部材でもある。フロントパネル４は、左右のバストカップ部２，３の下部に位置するように、着用前の状態で胸部周り方向に沿った長さ（幅）Ｌ１に亙り設けられている。
【００３２】
また、左右のバストカップ部２，３は、可能な限り隣接する距離が実質的に略ゼロとなるよう人体の中央部側の位置が互いに接触又は近接した状態で配設される。図１中、略Ｖ字形状の線は、後述するように、伸縮性素材からなるフロントパネル４が収縮した状態にあるため、当該フロントパネル４と接合される左右のバストカップ部２，３の端縁に生じる“しわ”を示している。この“しわ”は、当然のことながら、ブラジャー１の着用時にフロントパネル４が伸張することで解消される。
【００３３】
なお、フロントパネル４、サイドパネル５，６及びバックパネル７，８は、例えば、縫着等の手段によって互いに接合されるが、これに限定されるものではなく、フロントパネル４、サイドパネル５，６及びバックパネル７，８を表面側素材（表面側構成部材）と裏面側素材（裏面側構成部材）とからなる二重構造とし、フロントパネル４、サイドパネル５，６及びバックパネル７，８の表面側素材を一体的に形成するとともに、これらフロントパネル４、サイドパネル５，６及びバックパネル７，８の裏面側素材を個別に構成するか、或いはサイドパネル５，６とバックパネル７，８を一体的に構成しても良い。
【００３４】
また、上記左右のバストカップ部２，３の上端部から人体の背面に位置するバックパネル７，８に亙り、人体の肩に掛けて着用するストラップ９，１０が設けられている。なお、ブラジャー１は、ストラップ９，１０を備えない所謂ストラップレスタイプのものであっても良い。
【００３５】
この実施の形態に係るブラジャー１は、左右のバックパネル７，８の背面側の端部に、フックやアイ等の図示しない連結具が、縫着や接着等の手段によって取り付けられており、これらのフックやアイ等の図示しない連結具を介して着脱するよう構成されている。
【００３６】
この実施の形態において、左右のバストカップ部２，３の構成は任意であり、特に限定されるものではないが、左右のバストカップ部２，３は、例えば、女性のバスト形状に対応した三次元形状にモールド成型等によって形成するのが望ましい。また、左右のバストカップ部２，３の構成は、女性の左右のバストをそれぞれ被覆可能なものであれば良く、例えば、モールド成型されたバストパッドを有するパディッドタイプや、バストサイドを押さえる補正パネルや裏当て等を備えた複合構成からなるものなどであっても良い。
【００３７】
ところで、この実施の形態では、女性のバストをそれぞれ覆う左右のバストカップ部と、前記左右のバストカップ部を保持するフロント構成部と、前記フロント構成部の体側部側に配設される体側構成部と、前記体側構成部の背面側に配設されるバック構成部とを備えたバスト引き寄せ力を有するトップにおいて、前記フロント構成部及び前記バック構成部を１５０％以上の伸張率を有する伸縮性素材から構成すると共に、前記フロント構成部を伸張させた状態で前記左右のバストカップ部が前記女性のバストをそれぞれ覆うように構成し、前記トップの着用時に前記バック構成部が伸張したときの相互収縮力に対し、前記フロント構成部の相互収縮力が１０％以上大きく、且つ前記バック構成部の収縮長に対し、前記フロント構成部の収縮長が３０％以上大きくなるよう設定したものである。
【００３８】
更に、この実施の形態では、例えば、前記フロント構成部、体側構成部及びバック構成部を１５０％以上の伸張率を有する伸縮性素材から構成し、且つ、前記バック構成部を１２５％伸張させたときの収縮力に対し、前記フロント構成部を１８０％以上伸張させた場合の収縮力が１０％以上大きくなるよう前記フロント構成部を構成したものである。
【００３９】
図２はブラジャーの着用時における人体の胸部周り方向の各領域を示す模式図である。
【００４０】
ブラジャー１は、図２に示すように、人体の胸部周り方向において前面側に位置するフロント領域と、フロント領域の体側部側に位置する左右の体側領域と、人体の背面側に位置するバック領域とに大別される。また、フロント領域は、左右のバストカップ部２，３からなるバストカップ領域を含んでいる。ここで、人体のフロント領域はフロントパネル４によって、体側領域は左右のサイドパネル５，６によって、バック領域は左右のバックパネル７，８によってそれぞれ構成されている。
【００４１】
左右のバストカップ領域は、ブラジャー１の着用時に、左右のバストカップ部２，３を保持したフロントパネル４が人体の胸部周り方向に沿って伸張する。
【００４２】
図３（ａ）は、本実施の形態に係る製品のフロント姿図、同図（ｂ）は、フロントパネル４を後述するようにテープ体によって８４％に圧縮した製品のフロント姿図、同図（ｃ）は、テープ体に加えてセンター部の圧縮率を７７％と高く設定した製品のフロント姿図をそれぞれ示すものである。
【００４３】
このとき、フロントパネル４は、図３（ｂ）に示すように、人体の胸部周り方向に沿って一様に伸張（収縮）するように構成しても良いが、左右のバストの引き寄せ効果を考慮すると、図２及び図３（ｃ）に示すように、左右のバストトップ部間の伸張率が約８０％を占め、左右のバストトップ部より体側部側に位置するバストサイド領域の伸張率がそれぞれ約１０％を占めるように構成するのが望ましい。
【００４４】
更に説明すると、この実施の形態では、フロントパネル４の人体の胸部周り方向に沿った伸張量（伸張率）を均一に設定するのではなく、図２及び図３（ｃ）に示すように、当該フロントパネル４の伸張量をバストサイド側を少なく設定し、且つセンター部に大半を集中させるように構成したものである。
【００４５】
また、この実施の形態では、図２に示すように、バストサイドのバスト基底部において人体の中央部に向けて移動が可能な２ｃｍ前後、最低でも１ｃｍ程度の領域を体側部とし、当該領域を左右のサイドパネル５，６に含めている。
【００４６】
ところで、従来のブラジャー１は、図４（Ａ）に模式的に示すように、アンダーバスト（ＵＢ）のサイズが７０ｃｍ、Ａカップの女性を前提（標準人体）とした場合、着用時、例えば、左右のバックパネル７，８がそれぞれ約１４ｃｍに伸張した状態にあり、サイドパネルが約７ｃｍ、フロントパネルが約１２ｃｍ、センターパネルが約２ｃｍとなるよう設定される。
【００４７】
なお、数値は、標準体における中でのあくまで一例を示すものであり、許容幅を有するものである。
【００４８】
これに対して、本実施の形態のブラジャー１は、図４（Ｂ）（Ｃ）に示すように、着用時、例えば、左右のバックパネル７，８がそれぞれ約１４ｃｍに伸張した状態にあり、サイドパネルが約８ｃｍであり、フロントパネルが約１３ｃｍに伸張した状態となるよう設定される。なお、本実施の形態のブラジャー１は、センターパネルを備えていない。
【００４９】
このブラジャー１では、左右のバックパネル７，８の伸張前の長さが１１ｃｍ前後（例えば、１１．２ｃｍ程度）、左右のバックパネル７，８の伸張長が、それぞれ３ｃｍ前後（例えば、２．８ｃｍ程度）（＝１４−１１．２）となるよう設定されている。そのため、左右のバックパネル７，８の伸張率は、（１４／１１．２）×１００＝約１２５％である。ただし、左右のバックパネル７，８の伸張量及び伸張率は、上記の値に限定されるものではなく、例えば、左右のバックパネル７，８の伸張長が約３．５ｃｍ（＝１４−１０．５）となるよう設定しても良い。この場合、左右のバックパネル７，８の伸張率は、（１４／１０．５）×１００≒１３３％程度となる。
【００５０】
これに対して、上記ブラジャー１のフロント領域は、着用時、左右のバストカップ部２，３の底辺に位置するフロントパネル４の寸法がそれぞれ約１３ｃｍに伸張した状態となり、着用前のフロトパネル４の長さは７ｃｍ前後（例えば、７．２ｃｍ程度）に設定される。そのため、フロントパネル４は、（１３／７．２）×１００≒約１８０％程度伸張された状態で着用される。ただし、フロントパネル４の伸張長及び伸張率は、上記の値に限定されるものではなく、例えば、着用前のフロトパネル４の長さを約６ｃｍ、フロントパネル４の伸張長を約６〜７ｃｍとなるよう設定しても良い。この場合、フロントパネル４の伸張率は、（１３／６）×１００≒２１７％〜（１３／７）×１００≒１８６％程度となる。なお、フロントパネル４を構成する伸縮性素材としては、例えば、２００％程度の伸張率を有するものが用いられる。
【００５１】
そこで、この実施の形態では、着用時、１２５〜１３０％程度に伸張された左右のバックパネル７，８の相互収縮力に対して、少なくとも拮抗するだけの前側引き寄せ力をフロントパネル４によって作用させるよう構成されている。
【００５２】
具体的には、この実施の形態に係るブラジャー１では、図４（Ｂ）（Ｃ）に示すように、左右のバストカップ部２，３間にセンターパネルを設けず中心寸法をゼロに設定するとともに、左右のバストカップ部２，３の底辺に位置するフロントパネル４を、同図に示す伸張量（例えば６〜７ｃｍ程度）を圧縮した寸法に設定し、その上にバスト基底が約１８０％圧縮された状態でＵ字形状に湾曲した左右のバストカップ部２，３を連接するように構成している。
【００５３】
また、左右のサイドパネル５，６の伸張率は、０〜１０％程度に設定される。この実施の形態では、例えば、左右のサイドパネル５，６の伸張率が０％（非伸縮性）に設定されている。
【００５４】
なお、図４において、符号Ｘは、後述するように、サイドパネル５，６と一体化されるフロントパネル４の左右のバストサイドの領域を示し、サイドパネル５，６は、当該フロントパネル４の左右のバストサイド領域を含む機能体側部領域として構成されている。
【００５５】
更に説明すると、この実施の形態に係るブラジャー１は、図４（Ｂ）（Ｃ）に示すように、アンダーバスト（ＵＢ）のサイズが７０ｃｍ、Ａカップの女性を前提とした場合、ブラジャー１を装着したときの理想的なバランスとして、例えば、フロントパネル４からなるフロント領域が１３ｃｍ、サイドパネル５，６からなる体側部領域が８ｃｍ、バックパネル７、８からなるバック領域が１４ｃｍとなるようにそれぞれ設定されている。尚、これらの数値は、着用時（伸張状態）における左右片側の値を示している。また、図４では、便宜上、片側のフロントパネル４のみを図示しているが、左右に位置するフロントパネル４は、一体に形成されるものである。
【００５６】
上記の如く圧縮して形成されたフロントパネル４と左右のバストカップ部２，３との縫着等による接合は、例えば、次のように行われる。
【００５７】
この実施の形態に係るブラジャー１は、フロントパネル４が所定の伸張率である例えば１８０％伸張したときに、左右のバストカップ部２，３が人体に最もフィットするように構成される。このとき、左右のバストカップ部２，３を構成するバスト構成体及び当該バストカップ部２，３の構造が非伸縮性の場合と、フロントパネル４と同様に伸縮性を有する場合とでは、フロントパネル４と左右のバストカップ部２，３相互間の接続方法が異なる。原則的には、バストカップ部２，３の法面方向（高さ方向）は、着用時のバスト重量を支持し引き上げ作用に伴う法面部と、フロントパネル４の法面方向における伸張度の相  違による“しわ”の発生を考慮する必要がある。
【００５８】
一方、人体の胸部周り方向におけるバストカップ部２，３とフロントパネル４との関係は、バストカップ部２，３の伸張性に関係なく、仮に伸張率がフロントパネル４と同一の素材であっても、バスト形状を保持するためには、三次元的な設計に基づいて伸張率の差異を考慮したものであることが望ましい。
【００５９】
かかる前提の上で、バストカップ部２，３の引き寄せ力を形成する１８０％程度の伸張率を有するフロントパネル４の縫着は、手作業で行う場合には、バストカップ部２，３の基底縁部を安定した状態に保持しつつ縫い縮みが生じないように、１８０％伸張時にバストカップ部２，３が立体的に人体にフィットすることを前提に、当該フロントパネル４を限りなく２００％に近く引き伸ばしつつ、且つフロントパネル４の７割方をバストカップ部２，３の領域内に縫い止めする。
【００６０】
その際、フロントパネル４を２００％に近く引き伸ばしつつバストカップ部２，３に縫い止めるには、例えば、縫着するフロントパネル４と左右のバストカップ部２，３との相互（内側をバストカップ部、外側をフロントパネルとする）の送りピッチが異なる（左右のバストカップ部２，３側が速くなる）差動送り装置付のミシンを使用するか、又はフロントパネル４に経時的に抵抗を与え送り速度を遅くする補助装置等を使用することが望ましい。
【００６１】
この実施の形態では、フロントパネル４及びバックパネル７，８がそれぞれ１５０％以上の伸張率を有する伸縮性素材から構成されている。フロントパネル４は、上述したように、例えば２００％以上の伸張率を有する伸縮性素材から構成される。上記フロントパネル４及びバックパネル７，８は、例えば、２８０〜４２０ｄの太さを有するポリウレタン製の弾性繊維（弾性糸）であるスパンデックス（ｓｐａｎｄｅｘ）からなる編み地やスパンデックスを含む複合糸からなる編み地等によって構成され、１５０％以上の伸張率を有している。また、上記バックパネル７，８は、着用時の伸張率が、例えば、１２５〜１３０％程度となるよう設定されている。ここで、バックパネル７，８の伸張時の長さを約１４ｃｍとした場合、図４に示すように、着用前の長さは１１ｃｍ前後に設定される。高い伸張性を有するスパンデックスからなる編み地やスパンデックスを含む複合糸からなる編み地等は、一定の伸張力における伸張率（量）の領域が大きいため、スパンデックスを採用することにより、フロントパネル４の伸張率を拡大することが可能となる反面、高い締め付け感を要求する着用者には、１３５％程度の相対的に高い伸張率に設定することが好ましい。
【００６２】
この実施の形態に係るブラジャー１は、アンダーバスト（ＵＢ）が７０ｃｍ、Ａカップの女性の場合、図５に示すように、フロントパネル４の人体の胸部周りを形成する製品の長さＬ２は、人体のバストカップ領域の長さである例えば２６０ｍｍへと伸張した状態で着用される。これに対して、本発明における実施形態１の最もバスト引き寄せ力を持った製品は、図１に示すように、着用前の状態で、当該バストカップ領域の長さＬ１が１２０ｍｍ程度と大幅に短く圧縮（収縮）した状態で形成される。
ここで、ＪＩＳに規定されたアンダーバスト（ＵＢ）及びカップ形状における左右のバストカップ部の両端部間の人体胸部周り方向に沿った長さを、人体標準のフロント寸法という。
【００６３】
また、上記ブラジャー１は、フロントパネル４を１８０％程度伸張したときの相互収縮力が、バックパネル７，８を１２５％程度伸張したとき（着用時）の収縮力に対して、１０％以上大きく、且つバックパネル７、８の収縮長に対し、フロントパネル４の収縮長が３０％以上大きくなるよう設定されている。フロントパネル４を１８０％程度伸張したときの相互収縮力が、バックパネル７，８を１２５％程度伸張したとき（着用時）の収縮力に対して１０％未満である場合は、フロントパネル４の相互収縮力による左右のバストカップ部２，３の引き寄せ力を十分得ることが困難となる。またバックパネル７，８の収縮長に対してフロントパネル４の収縮長が３０％未満である場合は、やはり、フロントパネル４の構成にもよるが、フロントパネル４の相互収縮力による左右のバストカップ部２，３の引き寄せ力を十分得ることが困難となる。
【００６４】
この実施の形態では、図６（ａ）に示すように、フロントパネル４の人体胸部周り方向の長さを２８ｃｍとした場合、当該フロントパネル４が１８０％伸張したときに人体胸部周り方向の長さ２８ｃｍとなるためには、フロントパネル４自体の長さは、約１５．５ｃｍ（＝２８／１．８）に設定され基本的能力が必達されるが、図６（ｂ）に示すように、フロントパネル４には、テープ体を伸張させた状態で接着又は縫着することによって得られる製品寸法１３ｃｍとする８４％（＝（１３／１５．５）×１００）まで圧縮することによって更なる能力向上が図られる。
【００６５】
したがって、この実施の形態では、図４に示すように、バックパネル７，８の収縮長を２．８ｃｍとした場合、フロントパネル４の収縮長が６〜７ｃｍに設定されており、バックパネル７，８の収縮長に対するフロントパネル４の収縮長は、（６／２．８）×１００＝２１５％レベルの収縮長の創設を図るものである。
【００６６】
フロントパネル４の圧縮率は、種々の方法によって所望の値に設定することが可能である。
【００６７】
第一に、フロントパネル４を２００％以上の伸張率を有する身生地によって構成し、図６（ａ）に示すように、ブラジャー１の着用時におけるフロントパネル４の人体胸部周り方向の長さを２８ｃｍ、フロントパネル４の伸張率を１８０％とすると、フロントパネル４の製品寸法は、１５．５ｃｍ（＝２８／１．８）となる。
【００６８】
なお、ここでは伸張率に基づいて収縮前後の寸法について説明する関係上、記載する数値が１ｃｍ未満の数値を含むものとなっているが、人体の寸法は個人差を有しており、機械的に「何ミリ」との数値で限定されるものでないことは勿論である。
【００６９】
このとき、フロントパネル４は人体の胸部周り方向に沿って均一に伸張し、センター領域の長さが約１６ｃｍ、サイド領域の長さがそれぞれ約６ｃｍとなり、センター領域が約５７．２％を占め、サイド領域がそれぞれ約２１．４％を占める。
【００７０】
フロントパネル４の伸張率を１８０％とすると、フロントパネル４のセンター領域が占める長さは約８．９ｃｍ（＝１５．５×０．５７２）となり、サイド領域が占める長さは約３．３ｃｍ（＝１５．５×０．２１４）となる。フロントパネル４としては、一枚構成、二枚構成、袋構成、複数枚構成等の種々の構成を採用することができる。
【００７１】
第二に、フロントパネル４のエッジ部にラテックスやスパンデックス等の伸張率及び伸張力が共にフロントパネル４の素材より勝るポリマーによる糸体を編み込み又はポリマーをコーティングすることにより構成することができる。
【００７２】
第三に、上述した第一のフロントパネル４のみに弾性を有する合成樹脂又はラテックスからなるテープ体を接着又は縫い止めることによって構成することが可能である。
【００７３】
第四に、上述した第三のテープ体を伸張させた状態で接着又は縫い止めることによってフロントパネル４の伸張率を更に高く設定することができる。
【００７４】
この場合、図６（ｂ）に示すように、フロントパネル４にテープ体を伸張させた状態で接着又は縫い止めることによって、例えば、フロントパネル４の人体胸部周り方向に沿った長さが約１３ｃｍとなるように８４％（１５．５×０．８４＝１３）圧縮して構成することが可能となる。その際、フロントパネル４のセンター領域の長さは約７．４ｃｍとなり、サイド領域の長さはそれぞれ約２．８ｃｍとなる。
【００７５】
第五に、フロントパネル４の人体胸部周り方向に沿った伸張率を均一ではなく、図６（ｃ）に示すように、例えば、センター領域の伸張率が８０％を占め、サイド領域の伸張率がそれぞれ１０％を占めるよう設定することができる。フロントパネル４は、上述した第一の場合に比較して７７％に圧縮した状態で形成されており、フロントパネル４の製品寸法は、約１２ｃｍ（＝１５．５×０．７７）となる。
【００７６】
このとき、フロントパネル４の収縮長は、上述した第一の場合に比較して約３．５ｃｍ（＝１５．５−１２）となる。このフロントパネル４の収縮長のうち、センター領域の割合が８０％、サイド領域がそれぞれ１０％とすると、フロントパネル４のセンター領域の収縮長は、約２．８０ｃｍ（＝３．５×０．８）、サイド領域の収縮長は約０．３５ｃｍ（＝３．５×０．１）となる。その結果、フロントパネル４のセンター領域の伸張前の長さは、約６．１ｃｍ（＝８．９−２．８）となり、サイド領域の伸張前の長さはそれぞれ約２．９５ｃｍ（＝３．３−０．３５）に設定される。
【００７７】
この実施の形態では、フロントパネル４の伸張率を高く設定し、且つバストを中央部に寄せる効果を高めるため、上述した第五の構成を採用している。
【００７８】
なお、本フロントデザインは、製品生産効率面から図６（ａ）及び図６（ｂ）に示すようにフロント全体を、均質的圧縮状態とさせることがベターであるが、図６（ｃ）に示すように、当該圧縮を否均質的にセンター部に集中させ、よりセンター部の伸張長を高く設定することは最も好ましいことである。この場合には、左右のバストを人体の中央部に寄せる効果を更に高めることが可能となる。
【００７９】
また、上述したフロントパネル４の収縮長は現状の素材における可能性の最大値としての一例であり、本実施の形態では、フロントパネル４の収縮長として７０％程度のレベル（８〜９ｃｍの圧縮）にまで及びものである。
【００８０】
通常、フロントパネル４を構成するラッセル編み、トリコット編み、又は丸編み等の布幅がある身生地は、伸張率、伸張力とも原則として一定していることから、上述した伸張率の関係を満たし、バックパネル７，８より相互収縮力を１０％以上大きくするためには、これを補うことのできるポリマーによる糸体を編み込むか又はポリマーをコーティングするか、或いはテープ体を使用することが望ましい。
【００８１】
フロントパネル４やバックパネル７，８の相互収縮力は、同じ太さの繊維を使用して構成した場合であっても、編み機による編み組織や仕上げ方法の違いにより大きく異なる。
【００８２】
この実施の形態１では、一例として、ブラジャー１の着用時に、バックパネル７，８が伸張したときの相互収縮力が例えば７５０〜８００ｇｆ程度であるときに、フロントパネル４の相互収縮力が１０％以上大きい８００〜９００ｇｆ程度となるよう設定されている。
【００８３】
そのため、フロントパネル４は、例えば、上記の条件を満たす伸縮性素材１１そのものから構成される。また、フロントパネル４は、必要に応じて、図７及び図８に示すように、上述したバスト引き寄せ力を作用させるため、１８０％以上の伸張率を有する伸縮性素材１１をその下端部で折り返した表裏二重構造を備えるように構成される。さらに、この表裏二重構造を有するフロントパネル４には、スパンデックスに準ずるポリウレタン製の弾性樹脂であるモノ状態のテープ体１２、又はラテックス製のモノ状態のテープ体を、伸張長を高めるために伸張長がバックパネル７，８に対して３０％以上大きくなるよう伸張させた状態で、当該フロントパネル４の二重折り返し部の下端部に、接着（サンドイッチ状態または裏面側の内面のみにコーティングすることでも良い）するか、或いはフロントパネル４の裏面側の内面に粒子状の接着用樹脂をホットメルト加工（熱接着）するか縫着することにより、上記テープ体１２を伸張した状態で仮止めした上、当該テープ体１２をフロントパネル４の二重折り返し部の下端部にサンドイッチ状態で張り合わせることによって構成されている。
【００８４】
上記テープ体１２としては、スパンデックスに準ずるポリウレタン製の弾性を有する合成樹脂からなり、高い伸縮性を有するシート状に形成したものが用いられる。このテープ体は、原則として、原糸メーカーが提供するスパンデックスのテープ体であり、日清紡ケミカル社製「モビロンテープ（引張伸度４００％以上）」などが使用されている。
【００８５】
また、体側構成部は、他の構成部に比較して最も伸張率が低く且つ最も伸張力が大きく設定されている。
【００８６】
この実施の形態では、図４に示すように、サイドパネル５，６が、他の構成部に比較して最も伸張率が低く且つ最も伸張力が大きく設定されている。その結果、サイドパネル５，６は、フロントパネル４及び左右のバックパネル７，８に対して最も伸張し難く、望ましくは非伸張性となるよう構成される。
【００８７】
サイドパネル４，５は、図２に示すように、フロントパネル４と左右のバックパネル７，８との間に位置し、人体の胸部周り方向においてその位置がほぼ固定されたものであることが望ましい。そのため、サイドパネル５，６を、他の構成部に比較して最も伸張率が低く且つ最も伸張力が大きく設定することで、サイドパネル５，６が不本意に伸張されて、着用時に、人体の胸部周り方向に沿ってその位置が人体前後にズレルことを抑制することができ、フロントパネル４等の伸張率を相対的に高く設定した場合でも、ブラジャー１を安定して装着することが可能となる。
【００８８】
なお、サイドパネル５，６を表面体側部構成部材と裏面体側部構成部材とから二重に構成し、裏面体側部構成部材を、他の構成部に比較して最も伸張率が低く且つ最も伸張力が大きく設定することで、フロントパネル４及び左右のバックパネル７，８の伸張に伴う収縮力を他方の部材に対して直接伝達することができるように構成しても良い。
【００８９】
更に説明すると、サイドパネル５，６を非伸縮性の構成とすることで、当該サイドパネル５，６の前後に位置するフロントパネル４及びバックパネル７，８が伸張拡大することによって非伸縮部であるサイドパネル５，６が相対的に縮小化されていく作用が、ブラジャー１の体側部を支持し、バスト自体を人体中心上部に移動を図る能力及びバストを引き寄せる力を補うこととなり、フロントパネル４を以て左右のサイドパネル５，６を分離させることなく、左右のバストカップ部２，３との連帯化を図ることが可能となる。
【００９０】
ブラジャー１の体側部は、図５に破線で示すように、現行のバストカップ部２，３に対して間隙を介して離間して配置される体側部構成６１をデザイン的体側部とし、本発明の実施形態における体側部とは、少なくともデザイン的体側部にフロントパネル４のバスト補正機能を果たす体側部側領域を含めた体側部である実質的体側部６２と、バストカップ部２，３との連動性をデザインすると共に、更にバストカップ部２，３との一体性をデザインした体側部である機能的体側部６３と、更にバストカップ部２，３の使命であるバストを支える機能形成を有機的にデザインする体側部である拡張的体側部６４とに区分して対応するものである。
【００９１】
更に説明すると、この実施の形態に係るブラジャー１の体側部は、図９（ａ）〜（ｃ）に示すように、斜線を施した領域であり、図９（ａ）は上述した実態的体側部６２を示すものである。この実態的体側部６２は、現行の商品が破線で示す領域までフロントパネルが配置され、当該フロントパネルより背面側に体側部が位置するのに対して、当該体側部よりもバストカップ部２，３に接した領域まで体側部を延長して形成したものである。また、同図中に斜線で示すように、バストカップ部２，３の体側部側の領域にまで体側部を拡張しても良い。
【００９２】
同図（ｂ）は上述した体側部区分のうち機能的体側部６３を示すものである。この機能的体側部６３は、上述した実態的体側部６２に対して、バストカップサイド領域の略二分の一の範囲を以て体側部とするものであるが、この場合、バストカップ体側部を以てバストカップ部と体側部とを分離することは、バストシルエットに抵抗を与えることから、裏当て構成部はバストカップ体側部と一体化することが好ましい。この場合、フロントパネル４をバストサイドの二分の一を超えて短く設定することは好ましくない。
【００９３】
同図（ｃ）は上述した体側部区分のうち拡張的体側部６４を示すものである。バストカップ部２，３への拡張領域はデザイン的に自由であるが、上記図（ｂ）と同様にフロント領域をバストサイド領域の約二分の一の範囲を超えてフロントパネルを短くすることは望ましくなく、且つ当該分割線を身頃体イコールバストカップの分割線とすることはバストカップシルエットを阻害しないために裏構成のみとすることが好ましい。
【００９４】
上述したように、ブラジャー１を少なくとも表面側構成部材と裏面側構成部材を有する２枚以上の構成とした場合、表面側構成部材は、図５に示すように、デザイン的体側部６１として構成し、裏面側構成部材を各部位に個別に構成して体側部構成部を独立させた場合、表面側構成部材は現行の商品デザインでもよい。ただし、ブラジャー１を生産する上での効率的観点からすれば、フロントパネル４とサイドパネル５，６との分割線を表裏一体とすることが好ましい。
【００９５】
上記バスト引き寄せ力を有するトップとしてのブラジャー１は、次の基本の上に形成され、本実施形態はその基本部分を分割形成するものである。
【００９６】
すなわち、トップとしてのブラジャー１は、一枚一重構成、一枚一重構成の表面側又は裏面側に機能成形編みかなる一枚一重構成を配置した二重構成、一枚一重構成の表面側又は裏面側の少なくとも一方に複合部材を重ね合わせた複合構成、一枚二重構成の表面側又は裏面側の少なくとも一方に複合部材を重ね合わせた複合構成のいずれかとして構成される。
【００９７】
基本スタイルから分類すると、イ）全部位をパーツ化したカットアンドソーイングスタイル、ロ）バストカップとフロントを一体成型化＋その他カットアンドソーイングスタイル、ハ）上記バスト一体化フロントにサイドパネルを一体成型化＋カットアンドソーイングスタイル、ニ）全部位を一体成型化したスタイル（後述する実施形態６、７に相当）がある。
【００９８】
更に、本機能デザインとしては、イ）スタンダード構成デザイン（実施形態１、２）、ロ）センターエラスティック構成デザイン（実施形態３）、ハ）フロントセンター圧縮構成デザイン（実施形態４）、ニ）フロント交差構成デザイン（実施形態４）、ホ）三次元機能構成デザイン（実施形態６、７）、へ）その他デザイン（実施形態５）などがある。
【００９９】
更に、三つのスタイルを形成する素材構成としては、上記基本スタイルのイ）を前提とする部位別伸張率を持った素材の一重構成又は部分的補正素材をプラスする二重構成（バストカップやサイドパネル）、ロ）上記基本スタイルのイ）ロ）ハ）をベースに装飾性を高める編みレース（フロント伸張率を妨げない）等の二重構成又は部分的三重構成（バストカップやサイドパネル）、ハ）上記基本スタイルのイ）ロ）ハ）をベースとするフロント袋折二重構成をベースにルックスを統一する二重又は三重構成、ニ）本基本能力を助長させる裏当て構成による二重又は三重等の複合構成に加え、成形編み、並びに樹脂コーティングや成型圧縮等によるテクニック等がある。
【０１００】
尚、上記パーツ又は成型は原則として三次元設計を前提とするものである。
【０１０１】
更に説明すると、一枚構成のブラジャー１としては、例えば、左右のバストカップ部２，３を女性のバスト形状を人体の中央上部に移動させる三次元形状に形成したモールド成型（フルモールド）したモールド成型品、或いは成形編みにより三次元形状に形成した成形編品からなるものが用いられる。このモールド成型品又は成形編品からなるブラジャー１は、フロントパネル４、左右のサイドパネル５，６及び左右のバックパネル７，８が上述した伸張率の関係を満たすように構成される。
【０１０２】
また、二重構成のブラジャー１としては、表面側構成部材及び裏面側構成部材からなり、これら表面側構成部材又は裏面側構成部材を構成する素材そのものが、フロントパネル４、左右のサイドパネル５，６及び左右のバックパネル７，８の上述した伸張率の関係を満たすように構成される。或いは、二重構成のブラジャー１としては、表面側構成部材又は裏面側構成部材のいずれかに弾性を有する合成樹脂を塗布するか又は部分的に圧縮率の異なるプレス成型を施すことによって、フロントパネル４、左右のサイドパネル５，６及び左右のバックパネル７，８の上述した伸張率の関係を満たすように構成される。
【０１０３】
さらに、上記左右のバストカップ部２，３の少なくとも一部は、複数の二次元形状パネルを接合することにより構成しても良い。更に説明すると、左右のバストカップ部２，３は、図１０に示すように、上カップパネル２ａ，３ａと下カップパネル２ｂ，３ｂを互いに縫着等の手段で接合することにより形成される。また、左右のバストカップ部２，３は、フロントパネル４と互いに接合される。その際、左右のバストカップ部２，３とフロントパネル４とのバスト基底部７０に対応する部位に、図１１に示すよう、左右のバストカップ部２、３の内周側及び図示しないフロントパネルの外周側に略三日月形状の切欠部７１を設け、この切欠部７１を除いた対向する端縁同士を接合することによって、左右のバストカップ部２，３を人体の胸部湾曲形状に沿った三次元形状に形成することが可能となる。なお、複数の二次元形状パネルを接合する手段としては、カット＆ソーイング、樹脂接着、熱接着等の手段を採用することができる。
【０１０４】
以上の構成において、この実施の形態に係るバスト引き寄せ力を有するトップの場合には、次のようにして、フロント構成部を形成する素材の伸張率を工夫、設計することにより、十分なバスト引き寄せ力を得ることが可能なバスト引き寄せ力を持ったトップを提供することが可能となっている。
【０１０５】
すなわち、この実施の形態に係るブラジャー１は、図５に示すように、アンダーバスト（ＵＢ）が７０ｃｍ、Ａカップの女性の場合を例に説明すると、フロントパネル４のバストカップ領域を人体の胸部周り方向に沿った長さＬ２が約２６０ｍｍとなるように１８０％程度伸張させた状態で着用される。また、上記ブラジャー１のバックパネル７，８は、１２５〜１３０％程度の伸張率となるよう伸張させた状態で着用される。
【０１０６】
このとき、上記フロントパネル４を１８０％程度伸張したときの収縮力は、左右のバックパネル７，８を１２５％程度伸張したときの合計した収縮力に対して、１０％以上大きくなるよう設定されている。
【０１０７】
その結果、この実施の形態に係るブラジャー１では、着用時、フロントパネル４にバックパネル７，８の収縮力を１０％以上上回る収縮力が作用することとなる。そのため、ブラジャー１のフロントパネル４は、着用時にバックパネル７,８によって左右のバストカップ部２，３を人体の背面側に向けて引っ張る力として作用する収縮力に拮抗或いは上回る相互収縮力が作用し、左右のバストカップ部２，３をバックパネル７，８の収縮力を１０％程度上回る相互収縮力を以て人体の中央部側に引き寄せることが可能となる。
【０１０８】
また、バックパネル７，８の収縮長に対してフロントパネル４の収縮長が３０％以上大きく設定されているため、フロントパネル４の相対的に大きな収縮長に基づいて、左右のバストカップ部２，３を引き寄せる力を作用させることができるとともに、フロントパネル４の単位長さ当たりの収縮力が過大となることを回避することができ、着用感を向上させることが可能となる。
【０１０９】
したがって、この実施の形態に係るブラジャー１によれば、フロントパネル４を構成する素材の伸張率を工夫、設計することで、十分なバスト引き寄せ力を作用させることができ、理想的なバスト形状に近いバスト形状を創出することが可能となる。
【０１１０】
更に、この実施の形態の作用について説明すると、図１２に示すように、上述したブラジャー１を着用することにより、左右のバスト１３を移動可能な中心部１５まで移動させることができる。また、バストカップ部２，３の形状を三次元設計に基づくボディをベースとする体側部連接の上に、バストが人体の中央部側又は中央部上方向に向けて斜頸化した形状に予め形成することによって、更に乳房ポイントを人体の中央部に移動又は中央部上方に引き上げることが可能となる。なお、図１２において、符号１３は人体のブラジャー１を着用する前のバスト形状を、１４はバストの基底部が移動した状態を、１５はバストの全体が移動した状態をそれぞれ模式的に示したものである。この実施の形態に係るブラジャー１によれば、図１２から理解されるように、左右のバストの基底部を人体の中央部にて互いに接触する程度まで引き寄せることが可能となる。
【０１１１】
本発明では、ブラジャー１を二次元パターンで形成する場合であっても、三次元化設計に対応させることが好ましい。この三次元化は、バストカップ部２，３のみではなく、身頃全体（特にフロントパネル及びサイドパネル）にわたるものである。
【０１１２】
実施の形態２
図１３はこの発明の実施の形態２を示すものであり、前記実施の形態１と同一の部分には同一の符号を付して説明すると、当該実施の形態２を含めた以下の実施形態はすべて、フロントパネルは実施形態１に準ずるものであり、この実施の形態２では、前記フロント構成部は、その下端部に少なくとも４８０ｄ以上のポリウレタン糸を挿入して編み込んだ成形編みによる編み地から切り出して形成したものである。また、当該実施の形態２は、原則として、補正性の高い製品を前提としバックパネルも少なくとも２８０ｄ以上であることを前提とし、フロントパネルを構成するエラスティック素材は、伸縮性の高いエラスティック系又はハイストレッチスパンの４２０ｄ以上の弾性糸を用い、好ましくは編み込みによるが、伸縮性を高める観点からは挿入が望ましい。
【０１１３】
すなわち、この実施の形態２では、図１３に示すように、フロントパネル４が１８０％以上の伸張率を有する伸縮性素材１１をその下端部で折り返した表裏二重構造を有する成形編みによる編み地から切り出して構成されている。また、フロントパネル４の裏面側には、４８０ｄ以上の太さを有するスパンデックス等のポリウレタン糸（弾性糸）２０が人体の胸部周り方向に沿って互いに略平行となるよう横縞のボーダー状に編み込まれている。上記ポリウレタン糸（弾性糸）２０の太さとしては、上述した実施形態１のテープ体１２が原則として１ｃｍ前後の幅を有しており、当該テープ体１２に相当する伸張率及び伸張力を発揮させるため、４８０ｄ以上の太さを有するものであり、限りなく太いものであることが望ましい。
【０１１４】
この実施の形態では、フロントパネル４の裏面側に少なくとも４８０ｄ以上の太さを有するポリウレタン糸２０をボーダー状に編み込むことにより、フロントパネル４の相互収縮力が、バックパネル７，８が伸張したときの相互収縮力に対して１０％以上大きく、且つフロントパネル４の収縮長がバックパネル７，８の収縮長に対して３０％以上大きくなるよう設定されている。
【０１１５】
この実施の形態では、フロントパネル４として、少なくとも４８０ｄ以上のポリウレタン糸２０を挿入して編み込んだ成形編みによる編み地から切り出して形成したものを使用することにより、フロントパネル４にテープ体を接着や縫着する作業が不要となり、製造工程を簡略化できる。
【０１１６】
その他の構成及び作用は、前記実施の形態１と同様であるので、その説明を省略する。
【０１１７】
実施の形態３
図１４はこの発明の実施の形態３を示すものであり、前記実施の形態１と同一の部分には同一の符号を付して説明すると、この実施の形態３では、前記左右のバストカップ部は、前記フロント構成部を含み、当該フロント構成部は、前記左右のバストカップ部に対応させて互いに分離し、当該分離された左右のフロント構成部を弾性を有する合成樹脂又はラテックスからなるテープ体により接合するよう構成されている。
【０１１８】
本実施の形態３以降に記載されたセンター部交差及びフロント部交差ともに、原則として左右のバストカップ部は、少なくとも相互中心部の１ｃｍ以上、最大５ｃｍ程度の範囲を交差させることによって引き寄せ量を高めるためのパターンである。
【０１１９】
また、左右のバストカップ部の間に配置されるフロントセンター部を無くすことは、当該センター部の間隔をゼロにすることができることに止まるのではなく、センター部間の間隔をマイナス化イコール引き寄せ差動量を増加させる手段ともなり、テープ体の伸張率を生かすことが可能となる。
【０１２０】
すなわち、この実施の形態３では、図１４に示すように、フロントパネル４が左右のバストカップ部２，３に対応して左右に分割されているとともに、左右に分割されたフロントパネル４ａ，４ｂの間には、所定の長さにわたって間隙２０が形成されている。これら左右のフロントパネル４ａ，４ｂには、間隙２０及び当該左右のフロントパネル４ａ，４ｂの領域全体にわたり設定された弾性を有する合成樹脂又はラテックスからなるテープ体２１によって互いに接合されている。上記左右のフロントパネル４ａ，４ｂは、左右のバストカップ部２、３の基底下部中心部よりバストカップ部２，３の中央までの距離の約１／２でカットし、間隙２０に相当する部分にテープ体２１のフリー状態を形成することによって、よりテープ体２１の伸張能力の活用を可能としたものである。なお、テープ体２１は、単独で用いて良いが、その表面又は裏面の少なくとも一方を生地によって被覆しても良い。
【０１２１】
なお、左右のフロントパネル４ａ，４ｂは、実施形態１のフロントパネルに準ずるものである。また、テープ体２１は、スパンデックスのテープ体であり、日清紡ケミカル社製「モビロンテープ」と材質を一とするものである。
【０１２２】
この実施の形態３では、フロントパネル４を左右のバストカップ部２，３の中央部で左右に分割し、これら左右に分割されたフロントパネル４ａ，４ｂを下端部に沿って配置されたテープ体２１によって接合することで、当該テープ体２１により左右のバストカップ部２，３に対して人体の中央部に引き寄せる力を効果的に作用させることが可能となる。
【０１２３】
なお、テープ体２１は、図１５に示すように、左右のフロントパネル４ａ，４ｂの全幅にわたって設けずに、当該左右のフロントパネル４ａ，４ｂの中央部にのみ設けるように構成しても良い。この場合、フロントパネル４のセンター領域を大きくカットすることが望ましい。このブラジャー１は、左右のバストカップ部２，３が左右のフロントパネル４ａ，４ｂを含んでおり、左右のバストカップ部２，３は、テープ体２１の上端部に直接接合されており、当該テープ体２１は、左右のフロントパネル４ａ，４ｂと共に左右のバストカップ部２，３を直接人体の中央部に向けて引き寄せるように構成されている。
【０１２４】
本実施の形態では、左右のバストカップ部２，３を繋ぐ１８０％以上伸張するフロントパネルのセンター部を切除し、可能な限り二倍以上伸張するテープ体（モビロンテープを含む）に置き換えることによって、当該伸張差となる伸張量を生み出し、フロントパネル４ａ，４ｂを引き寄せる力イコール左右のバストカップ部２，３が互いに接触する状態のみならず、左右のバストカップ部２，３が交差するマイナス方向に移動量を増加させることが可能となる。
【０１２５】
その他の構成及び作用は、前記実施の形態と同様であるので、その説明を省略する。
【０１２６】
実施の形態４
図１６はこの発明の実施の形態４を示すものであり、前記実施の形態１と同一の部分には同一の符号を付して説明すると、この実施の形態４では、前記左右のバストカップ部は、前記フロント構成部の一部又は全部を含めて互いに分離され、当該分離された左右のバストカップ部を弾性を有する合成樹脂又はラテックスからなるテープ体によって接合してなるよう構成されている。
【０１２７】
又、この実施の形態４では、前記フロント構成部は、前記左右のバストカップ部の中央部から体側部側にわたり交差した状態で二重に構成されており、二重に構成されたフロント構成部のうち、一方のフロント構成部は、一方のバストカップ部から他方のフロント構成部にわたり接合されているとともに、他方のフロント構成部は、他方のバストカップ部から一方のフロント構成部にわたり接合されるよう構成されている。
【０１２８】
更に、この実施の形態４は、左右のバストカップ部を繋ぐセンタークロスを無くす実施形態３と、当該センター部を左右に分離重ね合わせることとは原則同じ効果を生むものであり、基本スタイルとなる左右のバストカップ部を一体的且つ連動的に繋ぐ固定的構造体は存在しない。
【０１２９】
尚、図１６のセンターの交差パネルは、実施形態１のパネル体であっても良い。
【０１３０】
すなわち、この実施の形態４では、図１６に示すように、フロントパネル４が左右のバストカップ部２，３にわたり一体的に構成されているのではなく、左右のバストカップ部２，３の下端部間にわたって中央部に位置する領域が二重に構成されている。そして、左側のバストカップ部２の下端縁に沿って縫着された左側フロントパネル４ａの上端縁４１ａは、他方の右側のバストカップ部３の下端縁に縫着されておらず、当該左側フロントパネル４ａの先端部４２ａが右側のバストカップ部３の下方に位置する右側フロントパネル４ｂの中央部側の端縁に縫着されている。
【０１３１】
また、右側のバストカップ部３の下端縁に沿って縫着された右側フロントパネル４ｂの上端縁４１ｂは、一方の左側のバストカップ部２の下端縁に縫着されておらず、当該右側フロントパネル４ｂの先端部４２ｂが左側のバストカップ部２の下方に位置する左側フロントパネル４ａの中央部側の端縁に縫着されている。
【０１３２】
このように、上記実施の形態４は、左右のバストカップ部２，３の間に位置するフロントパネル４ａ，４ｂを二重に構成することにより、フロントパネル４を一枚構成とした場合に比較して、左右のバストカップ部２，３を中央部に引き寄せる力を更に高めることが可能となり、左右のバストを中央部により一層引き寄せることができる。
【０１３３】
なお、図１７乃至図２１は、この実施の形態４に係るブラジャー１の変形例を示すものである。
【０１３４】
図１７に示すブラジャー１は、フロントパネル４の一部４ａ，４ｂが左右のバストカップ部２，３を含めて二重に構成されている。左側のバストカップ部２に縫着された左側のフロントパネル４ａは、右側のバストカップ部３の下端部に縫着されている。また、右側のバストカップ部３に縫着された右側のフロントパネル４ｂは、反対側に位置する左側のバストカップ部２の下端部に縫着されている。
【０１３５】
図１８に示すブラジャー１は、フロントパネル４のみならず、左右のバストカップ部２，３を含めて二重に構成されている。左側のバストカップ部２に縫着された左側のフロントパネル４ａは、右側のバストカップ部３の下端部に沿って配置されており、その先端部４２ａが右側のサイドパネル６に縫着されている。この図１８に示すブラジャー１は、フロントパネル４が左右のバストカップ部２，３と一体化された交差方式であることから、図２２（ａ）に示すように、センター領域を互いに重なり合う方向（マイナス方向）により圧縮化することが可能であり、当該左右のバストカップ部２，３の引き寄せ力を高めことが可能となる。これに伴って、左右のバストカップ部２，３は、図２２（ｂ）に破線で示すように、実線で示す現行の製品に比較して、人体の中央部に大幅に引き寄せた形状とすることができる。
【０１３６】
また、右側のバストカップ部３に縫着された右側のフロントパネル４ｂは、左側のバストカップ部２の下端部に沿って配置されており、その図示しない先端部が左側のサイドパネル５に縫着されている。
【０１３７】
また、図１９に示すブラジャー１は、バストの引き寄せる力を更に向上させるため、左右に分割されたフロントパネル４ａ，４ｂがサイドパネル５、６に接合されているのではなく、左右のバックパネル７，８の前面側の端部に接合されている。そのため、左右のフロントパネル４ａ，４ｂは、その分だけ長く形成することができ、当該左右のフロントパネル４ａ，４ｂの収縮力を更に高めることが可能となる。
【０１３８】
更に、図２０に示すブラジャー１は、左右のバストカップ部２，３及び左右のフロントパネル４ａ，４ｂ、更には左右のサイドパネル５，６がそれぞれ一体的に形成されており、これら一体的に形成された左右のサイドパネル５，６の端部が互いに交差した状態で左右のバックパネル７，８に接合されている。
【０１３９】
この図２０に示すブラジャー１は、体側構成部をバスト体側部と一体化した交差方式であり、よりバスト引き寄せ力が増すと同時に理想のバストの形成が可能となる。
【０１４０】
また、図２１に示すブラジャー１は、左右のバストカップ部２，３とフロントパネル４との接続部にフレキシブルなテープ体３０を介在させることによって、バスト及びフロントの相互間、接続縁辺の寸法の差異を緩和することが可能となっている。
【０１４１】
その他の構成及び作用は、前記実施の形態と同様であるので、その説明を省略する。
【０１４２】
実施の形態５
図２３乃至図２５はこの発明の実施の形態５を示すものであり、前記実施の形態１と同一の部分には同一の符号を付して説明すると、この実施の形態５では、左右のバストカップ部を人体の中央部に引き寄せるフロント構成部が、前記実施の形態と異なるよう構成されている。
【０１４３】
本実施形態５は、前記実施形態に基づく基本構成に、付属又はサブパネル構成等を採用することにより、バックパネルの伸張力と拮抗するプラス１０％の力を形成するために付加される構成を示すものである。
【０１４４】
そのため、本実施形態５では、本体の基本引き寄せ力の上に、さらなる引き寄せ力を高めることのできる構成であり、且つセンターリングは当該引き寄せ力の調整を可能とするものである。
【０１４５】
また、本実施形態５は、バンドータイプ等のパターン化による当該引き寄せ力の形成を容易とするものである。
【０１４６】
すなわち、本実施の形態に係るブラジャー１は、左右のバストカップ部２，３を分離することで、フロントパネル４のセンター部をより近接乃至交差させることが可能となるものであるが、左右のバストカップ部２，３のセンター部が何らかの形で連結されていない場合には、フロントパネル４の引き寄せ力を左右のバストカップ部２，３のセンター部に及ばせるため、左右のバストカップ部２，３のセンター領域にボーン等を配置することが望ましい。
【０１４７】
そこで、この実施の形態では、左右のバストカップ部２，３のセンター領域にボーン等を配置する代わりに、図２３に示すように、装飾を兼ねるリング体４５を配置し、当該リング体４５を介して左右のバストカップ部２，３の中央部にそれぞれ設けたストレッチ性のテープ体４３、４４を以て左右のバストカップ部２，３を相互に連接することによって、左右のバストカップ部２，３が離間するのを防止している。
【０１４８】
このように、図２３に示す実施の形態では、フロントパネル４の収縮力に加えて、左右のバストカップ部２，３を連結する伸縮性を有するテープ体４３，４４によって、左右のバストカップ部２，３を人体の中央部に引き寄せるように構成されている。
【０１４９】
また、図２４に示す実施の形態では、バストサイドからバストセンター部に２００％程度の伸張率を有するフロントパネル４に準ずる素材にて構成された左右のパネル４６，４７及びリング４５によって装飾を兼ねた付加価値とバスト引き寄せ力を更に高めることができるように構成したものである。
【０１５０】
更に説明すると、図２４に示すブラジャー１は、左右のバストカップ部２，３を体側部から当該左右のバストカップ部２，３の中央下部に亙り配設された伸縮性を有する左右のパネル（布状部材）４６，４７の先端を連結部材としての二重に配置されたリング４５に挿通することで固定されている。上記左右のパネル４６，４７は、ストラップ９，１０と一体的に形成されるか一体的に連結されており、ストラップ９，１０が左右のバストカップ部２，３を上方に持ち上げる力と共に、人体の中央部に向けて引き寄せる力を作用させることが可能となっている。なお、この実施の形態では、左右のパネル４６，４７のみを設け、ストラップを備えない構成としても良い。
【０１５１】
さらに、図２５に示す実施の形態では、フロントパネル４が帯状に形成されたバンドータイプのものとなっており、当該バンドータイプのフロントパネル４により左右のバストカップ部２，３を人体の中央部に引き寄せる力を作用させるように構成されている。
【０１５２】
尚、図２６に示すように、左右のバストカップ部２，３は、人体の中央部において互いに重なるように配置しても良い。この場合には、フロントパネル４が伸張した状態で左右のバストカップ部２，３の間に不本位に隙間が生じるのを回避することができる。
【０１５３】
その他の構成及び作用は、前記実施の形態と同様であるので、その説明を省略する。
【０１５４】
実施の形態６
図２７乃至図２９はこの発明の実施の形態６を示すものであり、前記実施の形態１と同一の部分には同一の符号を付して説明すると、この実施の形態６では、左右のバストカップ部及びフロントパネルの構成が前記実施の形態と異なるよう構成されている。
【０１５５】
本実施形態６は、上述したすべての実施形態に原則として関連するものであるが、左右のバストカップ部とフロントパネル等をより一体化させた上に、形状のスリム化を図り、更なる付加価値を形成するものである。具体的には、モールド成型による製品としての付加価値のあるノンシーム、ノンカットとしてのサンプル性と、人体のバスト部に適合した三次元形成化を容易とし、更なる製品付加価値を高めるための実施形態である。
【０１５６】
本実施形態のトップは、原則として、一枚一重構成の中に、左右のバストカップ部及びフロントパネル等の部位別の機能が形成されているか、又は、一枚一重構成に加えて二次的なテクニックによる部位別機能の形成、或いは二重構成によって表裏何れかの一枚一重構成に外観的付加価値、又は内面的付加価値を付与するか、更に表裏二重構成の間に配置される中間層を以て、左右のバストカップ部を引き寄せる能力等を形成させるように構成したものである。
【０１５７】
なお、本実施形態では、基本となる素材の組成、組織等が原則として１８０％以上の高い伸張性を備えたフロントパネルの機能が維持されることと熱セット性が求められる。
【０１５８】
上述した実施の形態１乃至５は、基本構成として、バストカップ構成部と、フロントパネル構成部並びにサイドパネル構成部及びバック構成部等に分割構成又は連接容易な部位間を連結するカットアンドソー技術を前提としたものであり、当該各構成部を一体化させる実施形態を示している。
【０１５９】
これに対して、本実施の形態６は、当該各構成部位を一体化したものであり、これは、完全成形編み（現在の成形編みは準成形編みレベルで、次のモールド成型との複合が必要）や、三次元設計されたモールドプレス成型技術（方式）によって達成されるものである。
【０１６０】
第一のポイントは、本発明が意図する乳房引き寄せ力の創設であり、フロントパネル４の８０％以上の圧縮にあり、且つ、当該フロントパネル４に形成されるバストカップ部２，３の構成にある。
【０１６１】
第二のポイントは、当該一体化させた身頃体に、フロント構成部、体側構成部及びバック構成部の３つの能力を形成させることにある。
【０１６２】
すなわち、図２７に示す実施の形態は、左右のバストカップ部２，３を構成するバストカップ体５０，５１がモールド成型によってフロントパネル４及びサイドパネル５，６等と一体的に形成したものである。
【０１６３】
また、図２８に示す実施の形態では、左右のバストカップ体５０，５１の体側部側に裏当て部材５２，５３が設けられており、人体の左右の体側部を押さえる効果を高めている。
【０１６４】
さらに、図２９に示す実施の形態では、左右のバストカップ体５０，５１の基底部から体側部にわたりフレキシブルテープ５４，５５が配設されており、フレキシブルテープ５４，５５を設けることで、フロントパネル４がバストを引き寄せる力によって左右のバストカップ部２，３が不本位に変形するのを回避することが可能となっている。
【０１６５】
更に、身頃構成体の具体的な構成について説明すると、大別して、編み構成によるものと、コーティングによるものとがある。
【０１６６】
編み組織によるものとしては、図３０（ａ）に示すように、経無地編地（フラット編み）からなるボーダー編みによって身頃体６１，６２，６３の伸張率を三段階に構成したものがある。バストカップ部２，３及びフロントパネル4に相当する編地６１が最も伸張率が高く、バックパネル７，８に相当する編地６３が次に伸張率が高く、サイドパネル５，６に相当する編地６２が最も伸張率が低いか又は伸張率が略ゼロに設定される。
【０１６７】
また、編み組織によるものとしては、図３０（ｂ）に示すように、成形編みによってバストカップ部２，３、フロントパネル4、サイドパネル５，６及びバックパネル７，８の各部位毎に伸張率が異なるように構成しても良い。これら図３０（ａ）（ｂ）の場合には、いずれも編み組織に加えて裏糸を挿入することによって体側部を形成することが好ましい。
【０１６８】
一方、コーティングによるものとしては、図３１（ａ）に示すように、表地６４を限りなく伸張力を伴わない２００％以上の伸張率を有するフラット編み（フルファッション編み＆トリコット編み等が望ましい）に、上述した図３０（ａ）（ｂ）に準ずる編み地６５を裏面側にコーティングする方式がある。
【０１６９】
また、コーティングによるものとしては、図３１（ｂ）に示すように、表裏をフルファッション編み又はトリコット編み等の伸張率並びに伸張力を持つ（当該表裏いずれかでもよい）二重構成体６６，６７を、伸張性のある樹脂層６８を以てコーティングする方式、図３２に示すように、表地を上記図３１（ａ）（ｂ）いずれかの素材とし、仮に体側部等の不足をする部位の表裏いずれか又は双方に複合的にパーツ６８をコーティングする方式、又は図３１（ａ）に示すものの表裏にてサンドイッチ又は表裏にコーティングする方式、又は図３１（ｂ）に示すものの表裏にてサンドイッチ又は表裏にコーティングする方式、又はバストカップ部２，３の膨出部成型時に上記のいずれかの体側部に、熱圧力を加えて剛性を高める方式などがある。
【０１７０】
この実施の形態６は、左右のバストカップ部２，３、フロントパネル４、サイドパネル５，６及びバックパネル７，８等が一体的に構成されているため、構成がシンプルであり、製造コストの低減が可能となり、又、体側部を一体化することができ、体側部とフロントパネル４等の連動によってバスト引き寄せ力の補完が可能であり、更に体側部の凹状化が可能となるという作用・効果を奏するものである。
【０１７１】
その他の構成及び作用は、前記実施の形態と同様であるので、その説明を省略する。
【０１７２】
実施の形態７
図３３はこの発明の実施の形態７を示すものであり、前記実施の形態１と同一の部分には同一の符号を付して説明すると、この実施の形態７では、左右のバストカップ部における体側部側の領域を、人体側に向けて凹形状となるようにモールド成型するように構成したものである。
【０１７３】
本実施形態７では、人体側に向けて凹形化させること即ち表面積を縮小化させることが要求される。これによって、一枚のフロントパネルに加わる均質な伸張力による伸張時において、左右のバストカップ部における体側部側の領域は、フロントパネルの伸張力により周辺部に比較して強い圧迫力を受け、当該凹形状の体側部領域によって波状的な力を形成し、バストの体側部を人体の中央部且つ上部へ向けて移動させることが可能となる。また、当該作用をバストカップ部の体側部を含めた拡張体側部としたデザイン且つ三次元形成化を図ることによって高めることができる。
【０１７４】
このように、本実施形態における凹状化とは、一枚構成の場合、当該凹状化領域の原則面積の圧縮化（縮小化）又は非伸張化又は固定化が伴う凹状化でなくてはならない。
【０１７５】
この実施の形態７では、左右のバストカップ部２，３における体側部側の領域を、人体側に向けて凹形状となるようにモールド成型することにより、ブラジャー１の着用時、図３３（ａ）（ｂ）に示すように、人体のバストを左右のバストカップ部２，３の体側部領域により人体の中央部に向けて押圧することができ、左右のバストカップ部２，３が接触する状態まで引き寄せることが可能となる。その際、左右のバストカップ部２，３は、同図（ｃ）に略等高線で示すように、人体のバストの体側部領域を人体の中央部に向けて押圧した状態となる。
【０１７６】
その他の構成及び作用は、前記実施の形態と同様であるので、その説明を省略する。
【０１７７】
なお、本実施の形態では、通常のブラジャーに適用した場合について説明したが、これに限定されるものではなく、ａ）ファンデーション（ロングタイプ・ボディスーツ等）、ｂ）スポーツ（ブラ・スイミング・ジャズダンス・ゴルフ等）、ｃ）アウトウエアー（ブラキャミ・リゾート・ドレス等）、ｄ）介護（介護者、被介護者用）（プロテクター・サポート・保護等）などに幅広く適用することが可能である。
【０１７８】
また、本発明では、バストカップ部を二次元方式により設計した場合、三次元方式により設計した場合のいずれにしても、バスト引き寄せ力を有するトップとして三次元形状、三次元機能を持たせることが好ましい。
【０１７９】
さらに、前記実施の形態で示したフロントパネルの伸張率又は圧縮率を示す数値は、現状のマテリアルにおける最大値を示すものであり、これらの数値に限定されるものではなく、上述した数値の少なくとも６０％程度の達成状態であっても本発明の目的を達成することができるものである。
【符号の説明】
【０１８０】
１：ブラジャー、２，３：バストカップ部、４：フロントパネル、５，６：サイドパネル、７，８：バックパネル。
【図１】
0006749069.tif 000002
【図２】
0006749069.tif 000003
【図３】
0006749069.tif 000004
【図４】
0006749069.tif 000005
【図５】
0006749069.tif 000006
【図６】
0006749069.tif 000007
【図７】
0006749069.tif 000008
【図８】
0006749069.tif 000009
【図９】
0006749069.tif 000010
【図１０】
0006749069.tif 000011
【図１１】
0006749069.tif 000012
【図１２】
0006749069.tif 000013
【図１３】
0006749069.tif 000014
【図１４】
0006749069.tif 000015
【図１５】
0006749069.tif 000016
【図１６】
0006749069.tif 000017
【図１７】
0006749069.tif 000018
【図１８】
0006749069.tif 000019
【図１９】
0006749069.tif 000020
【図２０】
0006749069.tif 000021
【図２１】
0006749069.tif 000022
【図２２】
0006749069.tif 000023
【図２３】
0006749069.tif 000024
【図２４】
0006749069.tif 000025
【図２５】
0006749069.tif 000026
【図２６】
0006749069.tif 000027
【図２７】
0006749069.tif 000028
【図２８】
0006749069.tif 000029
【図２９】
0006749069.tif 000030
【図３０】
0006749069.tif 000031
【図３１】
0006749069.tif 000032
【図３２】
0006749069.tif 000033
【図３３】
0006749069.tif 000034
【図３４】
0006749069.tif 000035
【図３５】
0006749069.tif 000036